(57)【要約】【課題】  簡易に所定の圧着強度で電線を圧着接続することができる接続端子を得る。【解決手段】  被覆電線を先端の被覆を剥き、芯線部を芯線圧着部１３に挿入し、手動圧着工具３１を用いて、芯線圧着部１３の断面積が小さくなるように外側からかしめ付けると、圧着部１３ａ、１３ｂは芯線部を堅固に固定し、同時にレバー１３ｄは圧着片１３ａ側に伸びて鉤部１３ｅが溝部１３ｃに噛み込む。この噛み込みは芯線圧着部１３の外形が小さくなるほど、鉤部１３ｅは外側の溝部１３ｃにラチェット式に移動してゆき、芯線圧着部１３の変形が復元しないように、圧着片１３ａ、１３ｂ同士の関係を維持する。【選択図】        図５
2006269248.tif 000002
【特許請求の範囲】
【請求項１】
相手側接続端子と接続する接続部と、電線を固定するための圧着部とを有する接続端子において、前記圧着部において、両側の圧着片を中央に向けて円弧状に弯曲し中央部で付き合わせた形状とし、片側の圧着片の表面には長手方向に複数の溝部を刻設し、他方の圧着片から前記長手方向と直交する方向にアーム部を切り出し、該アーム部の先端に下側を向く鉤部を形成し、該鉤部を前記溝部に係合するようにしたことを特徴とする接続端子。
【請求項２】
前記圧着部は前記電線の芯線部を圧着するための芯線圧着部としたことを特徴とする請求項１に記載の接続端子。
【請求項３】
前記芯線圧着部の後方に前記電線の被覆部を圧着するための被覆圧着部を設け、該被覆圧着部は前記芯線圧着部と同じ構成としたことを特徴とする請求項２に記載の接続端子。
【請求項４】
両側の圧着片をかしめるための開閉自在のアンビルとクリンパとを有する鋏状の工具であり、前記クリンパには前記圧着片の一方から切り出したアーム部を収納する収容部を有し、圧着に際して前記アンビルとクリンパを閉止して前記両側の圧着片をかしめると共に、前記アーム部を相手側圧着片側に伸長し前記アーム部の先端下側に設けた鉤部を前記他方の圧着片に設けた溝部に係止させることを特徴とする接続端子用圧着工具。
【請求項５】
前記アンビルとクリンパを前記圧着片の大きさに従って、複数組設けたことを特徴とする請求項４に記載の接続端子用圧着工具。
【発明の詳細な説明】
【技術分野】
【０００１】
本発明は、電線の先端に取り付けるための接続端子及びその圧着工具に関するものである。
【背景技術】
【０００２】
従来から、作業現場において電線に接続端子を圧着するには、専用の接続端子を用いて手動圧着工具により実施している。そのための接続端子１には、図７に示すように前端を接続部２とし後端に電線を圧着するための圧着部を有しており、芯線部を圧着するための両側から圧着片を折曲して眼鏡状に形成した芯線圧着部３と、その後方に電線の被覆部を固定するための両側の圧着片を円形に曲折して一部を重ね合わせた被覆圧着部４が設けられている。
【０００３】
この圧着部３、４に、先端の被覆を剥いだ電線５の芯線部と被覆部とを挿入し、手動圧着工具により芯線圧着部３と被覆圧着部４とを、それぞれ芯線部と被覆部にかしめることにより、図８に示すように電線５を接続端子１に固定することができる。
【発明の開示】
【発明が解決しようとする課題】
【０００４】
しかしながら上述の現場作業は、専用の機械設備を用いることができないために作業者の経験に頼るところが大きく、個人差があって均一の電気的特性を得ることが困難である。特に、夜間における作業では、十分な照明がない場所での作業となることもあって、その傾向が著しい。
【０００５】
また、圧着接続後においても、検査装置により接続状態の電気的な特性の検査をすることが困難なため、圧着規格を満足しているかどうかの判断が十分にできない。
【０００６】
本発明の目的は、上述の課題を解消し、不慣れな作業者であっても同じように確実な圧着が可能で特性を得ることができ、更には圧着状態を目視により確認し得る接続端子を提供することにある。
【０００７】
また本発明の他の目的は、確実な圧着作業をなし得る接続端子用圧着工具を提供することにある。
【課題を解決するための手段】
【０００８】
上記目的を達成するための本発明に係る接続端子の技術的特徴は、相手側接続端子と接続する接続部と、電線を固定するための圧着部とを有する接続端子において、前記圧着部において、両側の圧着片を中央に向けて円弧状に弯曲し中央部で付き合わせた形状とし、片側の圧着片の表面には長手方向に複数の溝部を刻設し、他方の圧着片から前記長手方向と直交する方向にアーム部を切り出し、該アーム部の先端に下側を向く鉤部を形成し、該鉤部を前記溝部に係合するようにしたことにある。
【０００９】
また、本発明に係る接続端子用圧着工具の技術的特徴は、両側の圧着片をかしめるための開閉自在のアンビルとクリンパとを有する鋏状の工具であり、前記クリンパには前記圧着片の一方から切り出したアーム部を収納する収容部を有し、圧着に際して前記アンビルとクリンパを閉止して前記両側の圧着片をかしめると共に、前記アーム部を相手側圧着片側に伸長し前記アーム部の先端下側に設けた鉤部を前記他方の圧着片に設けた溝部に係止させることにある。
【発明の効果】
【００１０】
本発明に係る接続端子及びその圧着工具によれば、不慣れな作業者でも、均一かつ確実に電線を圧着接続することができ、その確認を目視により可能とする。
【発明を実施するための最良の形態】
【００１１】
本発明を図１〜図６に図示の実施例に基づいて詳細に説明する。
図１は本実施例における接続端子の斜視図を示しており、接続端子１１は導電金属板を打ち抜き、折曲して形成されている。接続端子１１の前端部は、相手側接続端子の舌片状の接続端を受け入れる例えば箱体状の接続部１２とされ、後端部には電線を接続するための芯線圧着部１３と被覆圧着部１４が形成されている。
【００１２】
芯線圧着部１３は図２に示すように、両側の圧着片１３ａ、１３ｂを立ち上げた上で、内側に円弧状に屈曲され先端部同士が合掌状に付き合わされている。そして、一方の圧着片１３ａの表面には長手方向に複数の溝部１３ｃが形成されている。そして、他方の圧着片１３ｂには切り込みにより設けられたレバー１３ｄが長手方向と直交する水平方向に形成され、このレバー１３ｄの先端には鉤部１３ｅが下向きに形成されており、溝部１３ｃに鉤部１３ｅが噛み込むようにされている。
【００１３】
被覆圧着部１４においても同様に、両側の圧着片１４ａ、１４ｂが芯線圧着部１３と同様に内側に屈曲されて突き合わされ、レバー１４ｄの鉤部１４ｅが圧着片１４ａに設けられた溝部１４ｃに噛み込むようにされている。
【００１４】
電線を接続する際には、図３に示すように従来例と同様に被覆電線２１の先端の被覆を剥き、芯線部２２を芯線圧着部１３に、被覆部２３を被覆圧着部１４に挿入する。この状態において、図４に示すような手動圧着工具３１を用いて、芯線圧着部１３及び被覆圧着部１４の順に圧着片１３ａ、１３ｂ及び１４ａ、１４ｂをかしめて、芯線部２２及び被覆部２３を圧着固定する。
【００１５】
手動圧着工具３１は圧着部の大きさなどの関係から、芯線圧着部１３用と被覆圧着部１４用にそれぞれ別個とされている。例えば、芯線圧着部１３用の手動圧着工具３１は握持部３２を有する鋏み状とされ、先端にアンビル３３とクリンパ３４を有し、アンビル３３とクリンパ３４は開閉自在とされている。
【００１６】
アンビル３３は芯線圧着部１３の下面を押さえるための曲率半径の大きな略円弧状とされ、クリンパ３４は芯線圧着部１３の圧着片１３ａ、１３ｂを上方から押さえるために、２つの円弧を眼鏡状に並列したような形状とされている。また、クリンパ３４の内側には横方向に圧着片１３ｂから延出されたレバー１３ｄを変形しないように収納部３４ａが設けられ、レバー１３ｄは単に上方から押さえ付けるようにされている。
【００１７】
この圧着工具３１のアンビル３３とクリンパ３４により、図５に示すように芯線部２２を挿し込んだ芯線圧着部１３の圧着片１３ａ、１３ｂを押さえ付け、芯線圧着部１３の断面積が小さくなるように外側からかしめ付けると、図６に示すように芯線圧着部１３は芯線部２２を堅固に固定することになる。同時に、レバー１３ｄは圧着片１３ａ側に伸びて鉤部１３ｅが溝部１３ｃに噛み込む。
【００１８】
この噛み込みは芯線圧着部１３の外形が小さくなるほど、鉤部１３ｅは外側の溝部１３ｃにラチェット式に移動してゆく。そして、この噛み込みは芯線圧着部１３の変形が復元しないように、圧着片１３ａ、１３ｂ同士の関係を維持すると共に、鉤部１３ｅの溝部１３ｃに対する係合位置によって、芯線圧着部１３が正常な締付力により機能しているかどうかを目視で判断することができる。
【００１９】
一方、被覆圧着部１４においても、同様に圧着を行うことができる。この場合の手動圧着工具の構造は、芯線圧着部１３用とほぼ同様の構造であるが、被覆圧着部１４の大きさが芯線圧着部１３と異なるので、アンビル３３、クリンパ３４の大きさが異なっている。また、同じ手動圧着工具３１において、例えば回動の中心部に芯線圧着部用、先端側に被覆圧着部用を設けることもできる。
【００２０】
なお上述の実施例においては、芯線圧着部１３、被覆圧着部１４も共にレバー１３ｄ、１４ｄ、溝部１３ｃ、１４ｃを有するようにしたが、より重要な芯線圧着部１３のみに設けることもできる。
【図面の簡単な説明】
【００２１】
【図１】実施例の接続端子の斜視図である。
【図２】圧着部の断面図である。
【図３】被覆を剥離した状態の電線の斜視図である。
【図４】圧着工具の斜視図である。
【図５】圧着工具により圧着の説明図である。
【図６】圧着部の圧着状態の斜視図である。
【図７】従来の接続端子の斜視図である。
【図８】従来の接続端子に電線を取り付けた状態の斜視図である。
【符号の説明】
【００２２】
１１  接続端子
１２  接続部
１３  芯線圧着部
１３ａ、１３ｂ、１４ａ、１４ｂ  圧着片
１３ｃ、１４ｃ  溝部
１３ｄ、１４ｄ  レバー
１３ｅ、１４ｅ  鉤部
２１  被覆電線
２２  芯線部
２３  被覆部
３１  手動圧着工具
３３  アンビル
３４  クリンパ
【図１】
2006269248.tif 000003
【図２】
2006269248.tif 000004
【図３】
2006269248.tif 000005
【図４】
2006269248.tif 000006
【図５】
2006269248.tif 000007
【図６】
2006269248.tif 000008
【図７】
2006269248.tif 000009
【図８】
2006269248.tif 000010